(57)【特許請求の範囲】
【請求項１】
四隅の第１柱の上下端を第１天井梁および第１床梁でそれぞれ連結して箱枠状に形成された建物ユニットであって、
前記第１天井梁は互いに対向する長辺側天井梁と互いに対向する短辺側天井梁とから構成され、
前記第１床梁は互いに対向する長辺側床梁と互いに対向する短辺側床梁とから構成され、
前記四隅の第１柱の上端に前記短辺側天井梁がピン接合され、前記四隅の第１柱の下端に前記短辺側床梁がピン接合され、
前記長辺側天井梁の中間および前記長辺側床梁の中間に、前記長辺側天井梁の長さ方向に相互に離間して複数の中間柱が設けられ、前記短辺側天井梁の長さ方向において相互に対向している前記中間柱の上下端に、短辺側中間天井梁および短辺側中間床梁の少なくとも一方が剛接合されてラーメン構造が形成されている、
ことを特徴とする建物ユニット。
【請求項２】
請求項１に記載の建物ユニットにおいて、
前記四隅の第１柱と前記中間柱との間隔は、基本モジュールの整数倍である、
ことを特徴とする建物ユニット。
【請求項３】
請求項１または２に記載の建物ユニットにおいて、
前記中間柱に、前記短辺側中間天井梁および前記短辺側中間床梁の一方が剛接合され、他方が取り外し可能にピン接合されている、
ことを特徴とする建物ユニット。
【請求項４】
請求項１〜３のいずれか一項に記載の建物ユニットと、
四隅の第２柱の上下端を第２天井梁および第２床梁でそれぞれ連結して箱枠状に形成される一方、前記四隅の第２柱の上下端に前記第２天井梁および前記第２床梁がそれぞれ剛接合されて箱枠状のラーメン構造が形成されている他の建物ユニットと、
を隣接して接合する際における建物ユニットの配置構造であって、
前記第２柱と前記建物ユニットの前記中間柱とが隣り合って配置され、前記第２天井梁の中間および前記第２床梁の中間に、前記第１柱が配置されている、
ことを特徴とする建物ユニットの配置構造。
【請求項５】
請求項４に記載の建物ユニットの配置構造を有することを特徴とするユニット建物。
【発明の詳細な説明】
【技術分野】
【０００１】
本発明は、建物ユニット、建物ユニットの配置構造およびユニット建物に関する。
【背景技術】
【０００２】
従来、建物ユニットは、４本の柱と、これらの柱の上端間同士を結合する４本の天井梁と、柱の下端間同士を結合する４本の床梁とを備えている（特許文献１参照）。通常、建物ユニットでは、４本の柱の上下端と各梁とを四隅で剛接合しているラーメン構造が形成されている。
そして、ユニット建物は、基礎上に大きさの等しい複数の建物ユニットの隅部同士を合わせて配置して構成されている（特許文献２参照）。このように、大きさの等しい各建物ユニットの隅部同士が合わさるように配置されていることにより、ラーメン構造を形成する各建物ユニットの柱同士が隣り合って、建物ユニット間での水平荷重（風圧力、地震力）の伝達を柱まわりにて行うようにしている。これにより、建物ユニットにおいて最も強度の高い上記柱まわりを介して、水平荷重を、ユニット建物全体に分散させている。そのため、前記ラーメン構造を形成する各建物ユニットの柱同士が互いに隣り合うことが望ましい。
【先行技術文献】
【特許文献】
【０００３】
【特許文献１】特開２０１１−２４７０３９号公報
【特許文献２】特開平９−３２８８１８号公報
【発明の概要】
【発明が解決しようとする課題】
【０００４】
これに対して、前記建物ユニットの隅部に、他の建物ユニットの梁の中間を配置する配置構造を採用する場合、この隅部に隣接する前記他の建物ユニットの梁の中間に局部的な水平荷重が集中することが想定される。そのため、従来の建物ユニットを使用してプラニングする場合、各建物ユニットの隅部同士が合わさるように、各建物ユニットの配置を考慮しなければならず、プラニング上の制約があった。
【０００５】
本発明は、他の建物ユニットの梁の中間に加わる水平荷重を軽減させることができ、ユニット建物のプランニング上の制約を少なくすることができる建物ユニット、建物ユニットの配置構造およびユニット建物を提供することを目的とする。
【課題を解決するための手段】
【０００６】
上記課題の少なくとも一つを解決するために、請求項１に記載の発明は、例えば、図１〜図４、図６〜図８に示すように、
四隅の第１柱２，２，２，２の上下端を第１天井梁３および第１床梁４でそれぞれ連結して箱枠状に形成された建物ユニット１００Ａ１，１００Ａ２，１００Ａ３であって、
前記第１天井梁３は互いに対向する長辺側天井梁３ａ，３ａと互いに対向する短辺側天井梁３ｂ，３ｂとから構成され、
前記第１床梁４は互いに対向する長辺側床梁４ａ，４ａと互いに対向する短辺側床梁４ｂ，４ｂとから構成され、
前記四隅の第１柱２，２，２，２の上端に前記短辺側天井梁３ｂ，３ｂがピン接合され、前記四隅の第１柱２，２，２，２の下端に前記短辺側床梁４ｂ，４ｂがピン接合され、
前記長辺側天井梁３ａ，３ａの中間および前記長辺側床梁４ａ，４ａの中間に、前記長辺側天井梁３ａ，３ａの長さ方向に相互に離間して複数の中間柱２０，２０，２０，２０が設けられ、前記短辺側天井梁３ｂの長さ方向において相互に対向している前記中間柱２０，２０，２０，２０の上下端に、短辺側中間天井梁３０，３０および短辺側中間床梁４０，４０の少なくとも一方が剛接合されてラーメン構造が形成されている、
ことを特徴とする。
【０００７】
請求項１に記載の発明によれば、前記長辺側天井梁３ａ，３ａの中間および前記長辺側床梁４ａ，４ａの中間に、前記長辺側天井梁３ａ，３ａの長さ方向に相互に離間してラーメン構造を形成する前記中間柱２０，２０，２０，２０が設けられているので、この中間柱２０と他の建物ユニットの隅部の柱とを隣り合わせて配置することにより、前記中間に形成されたラーメン構造で水平荷重を十分に受けることができ、前記建物ユニットのピン接合されている隅部から前記他の建物ユニットの梁の中間に掛かる水平荷重が軽減される。本明細書において、ピン接合とは、ピンまたはボルトナット等で、柱と梁の角度が可変状態に接合されていることをいう。
よって、前記隣接する他の建物ユニットの梁の中間に加わる水平荷重が軽減され、ユニット建物のプランニング上の制約を少なくすることができる建物ユニットを提供することができる。
【０００８】
請求項２に記載の発明は、例えば、図１、図６〜図８に示すように、
請求項１に記載の建物ユニット１００Ａ１，１００Ａ２，１００Ａ３において、
前記四隅の第１柱２，２，２，２と前記中間柱２０，２０，２０，２０との間隔は、基本モジュールの整数倍である、
ことを特徴とする。
【０００９】
請求項２に記載の発明によれば、前記間隔が基本モジュールの整数倍であるので、モジュール単位で設計される建物ユニットの製造の際に中間柱２０の位置決めが容易な建物ユニットを提供することができる。
【００１０】
請求項３に記載の発明は、例えば、図４に示すように、
請求項１または２に記載の建物ユニット１００Ａ１，１００Ａ２，１００Ａ３において、
前記中間柱２０，２０に、前記短辺側中間天井梁３０および前記短辺側中間床梁４０の一方が剛接合され、他方が取り外し可能にピン接合されている、
ことを特徴とする。
【００１１】
請求項３に記載の発明によれば、前記中間柱２０，２０に、前記短辺側中間天井梁３０および前記短辺側中間床梁４０の一方が剛接合されているので、前記四隅の柱２，２，２，２間において前記長辺側天井梁３ａ，３ａの長さ方向に相互に離間してラーメン構造を設けて建物ユニットの強度を確保することができるとともに、他方が取り外し可能にピン接合されているので、ピン接合されている前記短辺側中間天井梁３０または前記短辺側中間床梁４０を取り外すことを考慮したユニット建物のプラニングをすることができる。
【００１２】
請求項４に記載の発明は、例えば、図６〜図８に示すように、
請求項１〜３のいずれか一項に記載の建物ユニット１００Ａ１，１００Ａ２，１００Ａ３と、
四隅の第２柱１０２，１０２，１０２，１０２の上下端を第２天井梁１０３および第２床梁１０４でそれぞれ連結して箱枠状に形成される一方、前記他の建物ユニット１００Ｂの前記四隅の第２柱１０２，１０２，１０２，１０２の上下端に前記第２天井梁１０３および前記第２床梁１０４がそれぞれ剛接合されて箱枠状のラーメン構造が形成されている他の建物ユニット１００Ｂと、
を隣接して接合する際における建物ユニット１００Ａ１，１００Ａ２，１００Ａ３，１００Ｂの配置構造であって、
前記第２柱１０２と前記建物ユニット１００Ａ１，１００Ａ２，１００Ａ３の前記中間柱２０とが隣り合って配置され、前記第２天井梁１０３の中間および前記第２床梁１０４の中間に、前記第１柱２が配置されている、
ことを特徴とする。
【００１３】
請求項４に記載の発明によれば、ラーメン構造を形成する前記第２柱１０２とラーメン構造を形成する前記建物ユニット１００Ａ１，１００Ａ２，１００Ａ３の前記中間柱２０とが隣り合って配置されているので、柱まわりを介して水平荷重を十分に受けることができ、前記建物ユニットのピン接合されている隅部から前記他の建物ユニットの梁の中間に掛かる水平荷重が軽減される。また、前記第２天井梁１０３の中間および前記第２床梁１０４の中間に、前記第１柱２が配置されていることにより、隣接する建物ユニットの隅部同士を合わせた場合と異なる奥行の入り隅部を有する建物ユニットの配置構造を容易に提供することができる。
【００１４】
請求項５に記載の発明は、例えば、図６〜図８に示すように、
ユニット建物１Ａ１，１Ａ２，１Ａ３は、請求項４に記載の建物ユニット１００Ａ１，１００Ａ２，１００Ａ３，１００Ｂの配置構造を有することを特徴とする。
【００１５】
請求項５に記載の発明によれば、請求項４に記載の建物ユニット１００Ａ１，１００Ａ２，１００Ａ３，１００Ｂの配置構造を有するので、隣接する建物ユニットの隅部同士を合わせた場合と異なる奥行の入り隅部を有するユニット建物を容易に提供することができる。
【発明の効果】
【００１６】
本発明によれば、他の建物ユニットの梁の中間で受ける水平荷重を軽減することができ、ユニット建物のプランニング上の制約を少なくすることができる建物ユニット、建物ユニットの配置構造およびユニット建物を提供することができる。
【図面の簡単な説明】
【００１７】
【図１】本発明に係る建物ユニットの一例を示す図であり、建物ユニットの斜視図である。
【図２】同、図１のＡ部の拡大分解図である。
【図３】同、図１のＢ部の拡大分解図である。
【図４】同、本発明に係る建物ユニットの模式図を示す図であり、（ａ）は斜視図であり、（ｂ）は中間柱と短辺中間天井梁と短辺中間床梁とをそれぞれ剛接合した例を示す図であり、（ｃ）は中間柱と短辺中間天井梁とを剛接合し、中間柱と短辺中間床梁をピン接合した例を示す図であり、（ｄ）は中間柱と短辺中間天井梁とをピン合し、中間柱と短辺中間床梁を合接合した例を示す図である。
【図５】本発明に係る建物ユニットと隣接して使用される他の建物ユニットを示す斜視図である。
【図６】本発明に係る建物ユニットを使用しているユニット建物を示す図であり、建物ユニットの配置構造を示す平面図である。
【図７】同、建物ユニットの他の配置構造を示す平面図である。
【図８】同、建物ユニットの他の配置構造を示す平面図である。
【発明を実施するための形態】
【００１８】
以下、図面を参照して本発明の実施の形態について説明する。
【００１９】
＜実施の形態１＞
（ユニット建物）
図１に示す建物ユニット１００Ａ１および図５に示す建物ユニット１００Ｂは、ユニット建物を建築する際に使用される。図６に示すユニット建物１Ａ１では、基礎上に複数の建物ユニット１００Ａ１，１００Ｂが配置され、基礎と複数の建物ユニット１００Ａ１，１００Ｂとが基礎に埋め込まれたアンカーボルトによりボルト接合され、前記複数の建物ユニット１００Ａ１，１００Ｂがボルトとナットでボルト接合されている。そして、屋根束等を設け、屋根を設置して、ユニット建物１Ａ１が建築されている。
【００２０】
図６においては、特に、ユニット建物１Ａ１における、建物ユニット１００Ａ１と、建物ユニット１００Ｂとの配置構造を示している。以下、建物ユニット１００Ａ１と、建物ユニット１００Ｂとについて説明してから、建物ユニット１００Ａ１、１００Ｂの配置構造について説明する。
【００２１】
（建物ユニット１００Ａ１）
図１に示すように、建物ユニット１００Ａ１は、四隅の正方形筒状の柱２，２，２，２の上下端を断面コ字型の天井梁３および断面コ字型の床梁４でそれぞれ連結して箱枠状に形成されている。前記建物ユニット１００Ａ１の柱２、天井梁３、床梁４は、それぞれ本発明の第１柱、第１天井梁、第１床梁に相当する。天井梁３および床梁４の断面コ字型は、ウェブと、ウェブの両端から垂直方向に延設されたフランジとで形成されている。前記天井梁３のフランジおよび前記床梁４のフランジは、建物ユニット１００Ａ１の内側にそれぞれ向けられ、前記天井梁３のウェブおよび前記床梁４のウェブは、建物ユニット１００Ａ１の外側にそれぞれ向けられている。
【００２２】
前記天井梁３は互いに対向する長辺側天井梁３ａ，３ａと互いに対向する短辺側天井梁３ｂ，３ｂとから構成されている。長辺側天井梁３ａの両端部に配置されている柱２，２間の間隔は４Ｍ（モジュール）であり、短辺側天井梁３ｂの両端部に配置されている柱間２，２の間隔は２Ｍ（モジュール）である。前記床梁４は互いに対向する長辺側床梁４ａ，４ａと互いに対向する短辺側床梁４ｂ，４ｂとから構成されている。長辺側床梁４ａの両端部に配置されている柱間２，２の間隔は４Ｍ（モジュール）であり、短辺側床梁４ｂの両端部に配置されている柱２，２間の間隔は２Ｍ（モジュール）である。前記四隅の柱２，２，２，２の上端に前記長辺側天井梁３ａ，３ａおよび前記短辺側天井梁３ｂ，３ｂはそれぞれピン接合され、前記四隅の柱２，２，２，２の下端に前記長辺側床梁４ａ，４ａおよび前記短辺側床梁４ｂ，４ｂはそれぞれピン接合されている。前記四隅の柱２，２，２，２の上下端に、前記短辺側天井梁３ｂ，３ｂおよび前記短辺側床梁４ｂ，４ｂは、それぞれボルトナットで取り外し可能にピン接合されている（図示せず）。
【００２３】
ここで、モジュールとは、建物のあらゆる部分を一定の大きさの倍数関係に整える際の基準となる寸法をいい、特に限定されるものではないが、例えば９００ｍｍ，９１０ｍｍ，１０００ｍｍ等の寸法がある。また、例えば、基本となる基本モジュールを９１０ｍｍとすると、ハーフモジュールは４４５ｍｍ、クォーターモジュールは２２７．５ｍｍとなる。
【００２４】
また、前記長辺側天井梁３ａ，３ａの中間および前記長辺側床梁４ａ，４ａの中間に、前記長辺側天井梁３ａ，３ａの長さ方向に相互に離間して複数の正方形筒状の中間柱２０，２０，２０，２０が設けられている。前記短辺側天井梁３ｂの長さ方向において相互に対向している前記中間柱２０，２０，２０，２０の上下端に、断面コ字型の短辺側中間天井梁３０，３０および断面コ字型の短辺側中間床梁４０，４０の両方がそれぞれ剛接合されてラーメン構造が形成されている。ここで、前記柱２と前記中間柱２０との間隔は、基本モジュールの１倍（１Ｍ）である。
【００２５】
前記短辺側中間天井梁３０および前記短辺側中間床梁４０の断面コ字型は、ウェブと、ウェブの両端から垂直方向に延設されたフランジとで形成されている。前記短辺側中間天井梁３０のフランジは、前記短辺側中間天井梁３０に対向する前記短辺側天井梁３ｂ側に向けられ、前記短辺側中間床梁４０のフランジは、前記短辺側中間床梁４０に対向する前記短辺側床梁４ｂ側に向けられている。
なお。前記長辺側天井梁３ａは、長辺側天井梁３ａ１と、長辺側天井梁３ａ２と、長辺側天井梁３ａ３とから構成され、前記長辺側床梁４ａは、長辺側床梁４ａ１と、長辺側床梁４ａ２と、長辺側床梁４ａ３とから構成されている。
【００２６】
（角部のピン接合）
図１に示すように、建物ユニット１００Ａ１の上部の角部において、上記柱２，２，２，２と、前記長辺側天井梁３ａと、前記短辺側天井梁３ｂとが、柱と梁の角度が可変状態にピン接合され、建物ユニット１００Ａ１の下部の角部において、上記柱２，２，２，２と、前記長辺側床梁４ａと、前記短辺側床梁４ｂとが、柱と梁の角度が可変状態にピン接合されている。
【００２７】
（中間部の剛接合：Ａ部）
図１および図２に示すように、建物ユニット１００Ａ１の中間部（図１のＡ部）において、上記中間柱２０と、前記長辺側床梁４ａ１と、前記長辺側床梁４ａ２と、断面コ字型の短辺側中間床梁４０とが、仕口１１で剛接合されている。なお、建物ユニット１００Ａ１の上部および下部において、Ａ部の仕口１１と接続構造が同じである箇所については、Ａ部の仕口１１と同じ符号を付して説明を省略する。
【００２８】
図２を参照して、建物ユニット１００Ａ１の下部の中間部（図１のＡ部）の構成について説明する。
【００２９】
仕口１１は、四角柱状の仕口部材１１ａの３つの側面に、平面視台形かつ断面コ字型のガセット１１ｂ，１１ｃ，１１ｄがそれぞれ溶接されて構成されている。平面視において、前記台形の上底１３ａが梁側に配置され、下底１３ｂが四角柱状の仕口部材１１ａ側に配置されている。また、前記台形は前記上底１３ａと前記下底１３ｂとに対して垂直な辺１３ｃを有し、立面視において、前記ガセット１１ｂ，１１ｃ，１１ｄの各々は、上下に平行に配置された互いに対向している前記垂直な辺１３ｃを含む矩形の鉛直面を有する。
建物ユニット１００Ａ１の外側に向けられている、前記ガセット１１ｂ，１１ｄの鉛直面と仕口部材１１ａの側面とは面一になっている。また、前記ガセット１１ｃの鉛直面は、前記ガセット１１ｄが溶接されている前記仕口部材１１ａの側面と面一になるように配置されている。
【００３０】
平面視において、四角柱状の仕口部材１１ａの形状は正方形であり、この正方形の１辺の長さと前記下底１３ｂの長さとは略等しい。また、平面視において、前記長辺側床梁４ａ１の幅と前記上底１３ａの長さとは略等しく、前記断面コ字型の短辺側中間床梁４０の幅と前記上底１３ａの長さとは略等しく、前記長辺側床梁４ａ２の幅と前記上底１３ａの長さとは略等しい。
【００３１】
四角柱状の仕口部材１１ａの上面には、前記正方形筒状の中間柱２０の内側に挿入される正方形の凸部１１ｅが設けられている。この凸部１１ｅは前記正方形筒状の中間柱２０の位置決めをするために設けられている。凸部１１ｅが前記正方形筒状の中間柱２０の内側に挿入された状態で、前記中間柱２０と前記四角柱状の仕口部材１１ａとが溶接されている。
【００３２】
前記ガセット１１ｂの内側に、前記長辺側床梁４ａ１の先端部が仕口部材１１ａの側面と当接するように挿入され、前記ガセット１１ｂと前記長辺側床梁４ａ１との境界部分が溶接されている。なお、前記ガセット１１ｂの上下に対向配置されている平面視台形部分の対向する面の間隔は、前記長辺側床梁４ａ１の高さ（ウェブの幅）と略等しい。
【００３３】
前記ガセット１１ｃの内側に、前記短辺側中間床梁４０の先端部が仕口部材１１ａの側面と当接するように挿入され、前記ガセット１１ｃと前記短辺側中間床梁４０と境界部分が溶接されている。なお、前記ガセット１１ｃの上下に対向配置されている平面視台形部分の対向する面の間隔は、前記短辺側中間床梁４０の高さ（ウェブの幅）と略等しい。
【００３４】
前記ガセット１１ｄの内側に、前記長辺側床梁４ａ２の先端部が仕口部材１１ａの側面と当接するように挿入され、前記ガセット１１ｄと前記長辺側床梁４ａ２との境界部分が溶接されている。なお、前記ガセット１１ｄの上下に対向配置されている平面視台形部分の対向する面の間隔は、前記長辺側床梁４ａ２の高さ（ウェブの幅）と略等しい。
【００３５】
（中間部の剛接合：Ｂ部）
図１および図３に示すように、建物ユニット１００Ａ１の中間部（図１のＢ部）において、上記中間柱２０と、前記長辺側床梁４ａ２と、前記長辺側床梁４ａ３と、断面コ字型の短辺側中間床梁４０とが、仕口１２で剛接合されている。なお、建物ユニット１００Ａ１の上部および下部において、Ｂ部の仕口１２と接続構造が同じである箇所については、Ｂ部の仕口１２と同じ符号を付して説明を省略する。
【００３６】
図３を参照して、建物ユニット１００Ａ１の下部の中間部（図１のＢ部）の構成について説明する。
【００３７】
仕口１２は、四角柱状の仕口部材１２ａの３つの側面に、平面視台形かつ断面コ字型のガセット１２ｂ，１２ｃ，１２ｄがそれぞれ溶接されて構成されている。平面視において、前記台形の上底１３ａが梁側に配置され、下底１３ｂが四角柱状の仕口部材１２ａ側に配置されている。また、前記台形は前記上底１３ａと前記下底１３ｂとに対して垂直な辺１３ｃを有し、立面視において、前記ガセット１２ｂ，１２ｃ，１２ｄの各々は、上下に平行に配置された互いに対向している前記垂直な辺１３ｃを含む矩形の鉛直面を有する。
建物ユニット１００Ａ１の外側に向けられている、前記ガセット１２ｂ，１２ｄの鉛直面と仕口部材１２ａの側面とは面一になっている。また、前記ガセット１２ｃの鉛直面は、前記ガセット１２ｂが溶接されている前記仕口部材１２ａの側面と面一になるように配置されている。
【００３８】
平面視において、四角柱状の仕口部材１２ａの形状は正方形であり、この正方形の１辺の長さと前記下底１３ｂの長さとは略等しい。また、平面視において、前記長辺側床梁４ａ２の幅と前記上底１３ａの長さとは略等しく、前記断面コ字型の短辺側中間床梁４０の幅と前記上底１３ａの長さとは略等しく、前記長辺側床梁４ａ３の幅と前記上底１３ａの長さとは略等しい。
【００３９】
四角柱状の仕口部材１２ａの上面には、前記正方形筒状の中間柱２０の内側に挿入される正方形の凸部１２ｅが設けられている。この凸部１２ｅは前記正方形筒状の中間柱２０の位置決めをするために設けられている。凸部１２ｅが前記正方形筒状の中間柱２０の内側に挿入された状態で、前記中間柱２０と前記四角柱状の仕口部材１２ａとが溶接されている。
【００４０】
前記ガセット１２ｂの内側に、前記長辺側床梁４ａ２の先端部が仕口部材１２ａの側面と当接するように挿入され、前記ガセット１２ｂと前記長辺側床梁４ａ２との境界部分が溶接されている。なお、前記ガセット１２ｂの上下に対向配置されている平面視台形部分の対向する面の間隔は、前記長辺側床梁４ａ２の高さ（ウェブの幅）と略等しい。
【００４１】
前記ガセット１２ｃの内側に、前記短辺側中間床梁４０の先端部が仕口部材１２ａの側面と当接するように挿入され、前記ガセット１２ｃと前記短辺側中間床梁４０との境界部分が溶接されている。なお、前記ガセット１２ｃの上下に対向配置されている平面視台形部分の対向する面の間隔は、前記短辺側中間床梁４０の高さ（ウェブの幅）と略等しい。
【００４２】
前記ガセット１２ｄの内側に、前記長辺側床梁４ａ３の先端部が仕口部材１２ａの側面と当接するように挿入され、前記ガセット１２ｄと前記長辺側床梁４ａ３との境界部分が溶接されている。なお、前記ガセット１２ｄの上下に対向配置されている平面視台形部分の対向する面の間隔は、前記長辺側床梁４ａ３の高さ（ウェブの幅）と略等しい。
【００４３】
（建物ユニット１００Ｂ）
図５に示すように、建物ユニット１００Ｂは四隅の柱１０２，１０２，１０２，１０２の上下端を天井梁１０３および床梁１０４でそれぞれ連結して箱枠状に形成されている。建物ユニット１００Ｂの柱１０２、天井梁１０３、床梁１０４は、それぞれ本発明の第２柱、第２天井梁、第２床梁に相当する。また、建物ユニット１００Ｂの前記四隅の柱１０２，１０２，１０２，１０２の上下端に前記天井梁１０３および前記床梁１０４がそれぞれ剛接合されてラーメン構造が形成されている。
４本の天井梁１０３は、互いに対向する長辺側天井梁１０３ａとこれら長辺側天井梁１０３ａより短い互いに対向する短辺側天井梁１０３ｂとから構成されている。長辺側天井梁１０３ａの両端部に配置されている柱２，２間の間隔は４Ｍ（モジュール）であり、短辺側天井梁１０３ｂの両端部に配置されている柱間２，２の間隔は２Ｍ（モジュール）である。４本の床梁１０４は互いに対向する長辺側床梁１０４ａと長辺側床梁１０４ａより短い互いに対向する短辺側床梁１０４ｂとから構成されている。長辺側床梁１０４ａの両端部に配置されている柱２，２間の間隔は４Ｍ（モジュール）であり、短辺側床梁１０４ｂの両端部に配置されている柱間２，２の間隔は２Ｍ（モジュール）である。なお、柱１０２は正方形筒状に形成されており、天井梁１０３と床梁１０４は、それぞれ断面コ字型に形成されている。
【００４４】
（建物ユニットの配置構造）
図６を参照して、建物ユニット１００Ａ１と、この建物ユニット１００Ａ１に隣接している他の建物ユニット１００Ｂとを接合する際における建物ユニット１００Ａ１，１００Ｂの配置構造について説明する。図６において、建物ユニット１００Ａ１，１００Ｂの剛接合されている部分を三角で示し、建物ユニット１００Ａ１のピン接合されている部分を丸で示している。
【００４５】
図６に示すように、前記他の建物ユニット１００Ｂの前記柱１０２と前記建物ユニット１００Ａ１の前記中間柱２０とが隣り合って配置されている。また、前記他の建物ユニット１００Ｂの前記短辺側天井梁１０３ｂの中間および前記短辺側床梁１０４ｂの中間に、前記建物ユニット１００Ａ１の前記柱２が配置されている。
【００４６】
本実施の形態によれば、前記長辺側天井梁３ａ，３ａの中間および前記長辺側床梁４ａ，４ａの中間に、前記長辺側天井梁３ａ，３ａの長さ方向に相互に離間してラーメン構造を形成する前記中間柱２０，２０，２０，２０が設けられているので、この中間柱２０と他の建物ユニット１００Ｂの隅部の柱１０２とを隣り合わせて配置することにより、前記中間に形成されたラーメン構造で水平荷重を十分に受けることができ、前記建物ユニット１００Ａ１のピン接合されている隅部から前記他の建物ユニット１００Ｂの梁１０３ｂ（１０４ｂ）の中間に掛かる水平荷重が軽減される。
【００４７】
また、前記四隅の柱２と前記中間柱２０との間隔が基本モジュールの整数倍（１倍）であるので、モジュール単位で設計される建物ユニットの製造の際に中間柱２０の位置決めが容易な建物ユニット１００Ａ１を提供することができる。
【００４８】
また、前記中間柱２０，２０に、前記短辺側中間天井梁３０および前記短辺側中間床梁４０の両方が剛接合されているので、水平荷重に対する強度を十分に確保することができる。
【００４９】
また、ラーメン構造を形成する前記他の建物ユニット１００Ｂの前記柱１０２とラーメン構造を形成する前記建物ユニット１００Ａ１の前記中間柱２０とが隣り合って配置されているので、柱まわりを介して水平荷重を十分に受けることができ、前記建物ユニット１００Ａ１のピン接合されている隅部から前記他の建物ユニット１００Ｂの梁１０３ｂ（１０４ｂ）の中間に掛かる水平荷重が軽減される。また、前記他の建物ユニット１００Ｂの前記短辺側天井梁１０３ｂの中間および前記短辺側床梁１０４ｂの中間に、前記建物ユニット１００Ａ１の前記柱２が配置されていることにより、隣接する建物ユニットの隅部同士を合わせた場合と異なる奥行の入り隅部を有する建物ユニットの配置構造を容易に提供することができる。
【００５０】
また、上述した前記建物ユニット１００Ａ１と前記建物ユニット１００Ｂとの配置構造を有するので、隣接する建物ユニットの隅部同士を合わせた場合と異なる奥行の入り隅部を有するユニット建物を容易に提供することができる。
【００５１】
＜実施の形態２＞
上記実施の形態１においては、建物ユニット１００Ａ１の前記柱２と前記中間柱２０との間隔が基本モジュールの１倍である例について説明したが、これに限られない。本実施の形態においては、前記柱２と前記中間柱２０との間隔が基本モジュールの２倍である建物ユニット１００Ａ２を用いて説明する。建物ユニット１００Ａ２では、前記柱２と前記中間柱２０との間隔が基本モジュールの２倍（２Ｍ）であるため、これに合わせて、建物ユニット１００Ａ２の前記柱２と前記中間柱２０間の長辺側天井梁の長さおよび長辺側床梁の長さが、建物ユニット１００Ａ１に比べて長く設定されている。建物ユニット１００Ａ２の他の構造については、建物ユニット１００Ａ１と同じであるため、説明を省略する。なお、建物ユニット１００Ｂは実施の形態１と同じものである。
【００５２】
（ユニット建物）
図７に示す建物ユニット１００Ａ２および建物ユニット１００Ｂは、ユニット建物を建築する際に使用される。ユニット建物１Ａ２では、基礎上に複数の建物ユニット１００Ａ２，１００Ｂが配置され、基礎と複数の建物ユニット１００Ａ２，１００Ｂとが基礎に埋め込まれたアンカーボルトによりボルト接合され、前記複数の建物ユニット１００Ａ２，１００Ｂがボルトとナットでボルト接合されている。そして、屋根束等を設け、屋根を設置して、ユニット建物１Ａ２が建築されている。
【００５３】
図７においては、特に、ユニット建物１Ａ２における、建物ユニット１００Ａ２と、建物ユニット１００Ｂとの配置構造を示している。
【００５４】
（建物ユニットの配置構造）
図７を参照して、建物ユニット１００Ａ２と、この建物ユニット１００Ａ２に隣接している他の建物ユニット１００Ｂとを接合する際における建物ユニット１００Ａ２，１００Ｂの配置構造について説明する。図７において、建物ユニット１００Ａ２，１００Ｂの剛接合されている部分を三角で示し、建物ユニット１００Ａ２のピン接合されている部分を丸で示している。
【００５５】
図７に示すように、前記他の建物ユニット１００Ｂの前記柱１０２と前記建物ユニット１００Ａ２の前記中間柱２０とが隣り合って配置されている。また、前記他の建物ユニット１００Ｂの前記長辺側天井梁１０３ａの中間および前記長辺側床梁１０４ａの中間に、前記建物ユニット１００Ａ２の前記柱２が配置されている。
【００５６】
本実施の形態によれば、前記長辺側天井梁３ａ，３ａの中間および前記長辺側床梁４ａ，４ａの中間に、前記長辺側天井梁３ａ，３ａの長さ方向に相互に離間してラーメン構造を形成する前記中間柱２０，２０，２０，２０が設けられているので、この中間柱２０と他の建物ユニット１００Ｂの隅部の柱１０２とを隣り合わせて配置することにより、前記中間に形成されたラーメン構造で水平荷重を十分に受けることができ、前記建物ユニット１００Ａ２のピン接合されている隅部から前記他の建物ユニット１００Ｂの梁１０３ａ（１０４ａ）の中間に掛かる水平荷重が軽減される。よって、隣接する他の建物ユニット１００Ｂの梁の中間に加わる水平荷重が軽減され、ユニット建物のプランニング上の制約を少なくすることができる建物ユニットを提供することができる。
【００５７】
また、前記四隅の柱２と前記中間柱２０との間隔が基本モジュールの整数倍（２倍）であるので、モジュール単位で設計される建物ユニットの製造の際に中間柱２０の位置決めが容易な建物ユニット１００Ａ２を提供することができる。
【００５８】
また、前記中間柱２０，２０に、前記短辺側中間天井梁３０および前記短辺側中間床梁４０の両方が剛接合されているので、水平荷重に対する強度を十分に確保することができる。
【００５９】
また、ラーメン構造を形成する前記他の建物ユニット１００Ｂの前記柱１０２とラーメン構造を形成する記建物ユニット１００Ａ２の前記中間柱２０とが隣り合って配置されているので、柱まわりを介して水平荷重を十分に受けることができ、前記建物ユニット１００Ａ２のピン接合されている隅部から前記他の建物ユニット１００Ｂの梁の中間に掛かる水平荷重が軽減される。また、前記他の建物ユニット１００Ｂの前記長辺側天井梁１０３ａの中間および前記長辺側床梁１０４ａの中間に、前記建物ユニット１００Ａ２の前記柱２が配置されていることにより、隣接する建物ユニットの隅部同士を合わせた場合と異なる奥行の入り隅部を有する建物ユニットの配置構造を容易に提供することができる。
【００６０】
また、上述した前記建物ユニット１００Ａ２と前記建物ユニット１００Ｂとの配置構造を有するので、隣接する建物ユニットの隅部同士を合わせた場合と異なる奥行の入り隅部を有するユニット建物を容易に提供することができる。
【００６１】
＜実施の形態３＞
上記実施の形態１においては、建物ユニット１００Ａ１の前記短辺側天井梁３ｂおよび前記短辺側床梁４ｂが２Ｍ（モジュール）である例について説明したが、これに限られない。本実施の形態においては、前記短辺側天井梁３ｂおよび前記短辺側床梁４ｂが１．５Ｍ（モジュール）である建物ユニット１００Ａ３を用いて説明する。この場合でも、建物ユニット１００Ａ３は、前記柱２と前記中間柱２０との間隔が基本モジュールの１倍（１Ｍ）とする。建物ユニット１００Ａ３の他の構造については、建物ユニット１００Ａ１と同じであるため、説明を省略する。なお、建物ユニット１００Ｂは実施の形態１と同じものである。
【００６２】
（ユニット建物）
図８に示す建物ユニット１００Ａ３および建物ユニット１００Ｂは、ユニット建物を建築する際に使用される。ユニット建物１Ａ３では、基礎上に複数の建物ユニット１００Ａ３，１００Ｂが配置され、基礎と複数の建物ユニット１００Ａ３，１００Ｂとが基礎に埋め込まれたアンカーボルトによりボルト接合され、前記複数の建物ユニット１００Ａ３，１００Ｂがボルトとナットでボルト接合されている。そして、屋根束等を設け、屋根を設置して、ユニット建物１Ａ３が建築されている。
【００６３】
図８においては、特に、ユニット建物１Ａ３における、建物ユニット１００Ａ３と、建物ユニット１００Ｂとの配置構造を示している。
【００６４】
（建物ユニットの配置構造）
図８を参照して、建物ユニット１００Ａ３と、この建物ユニット１００Ａ３に隣接している他の建物ユニット１００Ｂとを接合する際における建物ユニット１００Ａ３，１００Ｂの配置構造について説明する。図８において、建物ユニット１００Ａ３，１００Ｂの剛接合されている部分を三角で示し、建物ユニット１００Ａ３のピン接合されている部分を丸で示している。
【００６５】
図８に示すように、前記他の建物ユニット１００Ｂの前記柱１０２と前記建物ユニット１００Ａ３の前記中間柱２０とが隣り合って配置されている。また、前記他の建物ユニット１００Ｂの前記短辺側天井梁１０３ｂの中間および前記短辺側床梁１０４ｂの中間に、前記建物ユニット１００Ａ３の前記柱２が配置されている。
【００６６】
本実施の形態によれば、実施の形態１に記載の効果に加えて、前記建物ユニット１００Ａ１より短辺側天井梁および短辺側床梁が短い建物ユニット１００Ａ３を使用した場合にも、隣接する建物ユニットの隅部同士を合わせた場合と異なる奥行の入り隅部を有する建物ユニットの配置構造およびこの配置構造を有するユニット建物を容易に提供することができる。
【００６７】
（変形例）
次に、図４を参照して、変形例について以下説明する。図４（ａ）は、図１に示す建物ユニット１００Ａ１の模式図であり、剛接合されている部分を三角で示し、ピン接合されている部分を丸で示している。なお、以下に説明する変形例は、建物ユニット１００Ａ２および建物ユニット１００Ａ３にも適用できる。
【００６８】
上記実施の形態１〜３においては、建物ユニット１００Ａ１〜１００Ａ３において、図４（ｂ）に示すように、前記中間柱２０，２０の上下端に、短辺側中間天井梁３０および短辺側中間床梁４０の両方がそれぞれ剛接合されて、ラーメン構造が設けられている例について説明した。しかし、本発明は、これに限られない。
図４（ｃ）に示すように、前記中間柱２０，２０の上端に、短辺側中間天井梁３０が剛接合されて、前記中間柱２０，２０の下端に、短辺側中間床梁４０がピン接合されて、ラーメン構造が設けられていてもよい。
また、図４（ｄ）に示すように、前記中間柱２０，２０の上端に、短辺側中間天井梁３０がピン接合されて、前記中間柱２０，２０の下端に、短辺側中間床梁４０が剛接合されて、ラーメン構造が設けられていてもよい。
また、図４（ｃ）において、ピン接合されている短辺側中間床梁４０を設けない構成としてもよい。図４（ｄ）において、ピン接合されている短辺側中間天井梁３０を設けない構成としてもよい。
なお、変形例においては、上記実施の形態と同じ部材には同一の符号を付し、説明を省略する。
【符号の説明】
【００６９】
１Ａ１，１Ａ２，１Ａ３      ユニット建物
２     第１柱
３     第１天井梁
３ａ，３ａ１，３ａ２，３ａ３       長辺側天井梁
３ｂ   短辺側天井梁
４     第１床梁
４ａ，４ａ１，４ａ２，４ａ３       長辺側床梁
４ｂ   短辺側床梁
６ａ   ボルト
６ｂ   ナット
６ｃ   座金
９     仕口
９ａ   ガセットプレート
９ｂ   仕口部材
９ｃ   ガセットプレート
１０   仕口
１０ａ ガセットプレート
１０ｂ 仕口部材
１０ｃ ガセットプレート
１０ｄ 凸部
１１   仕口
１１ａ 仕口部材
１１ｂ，１１ｃ，１１ｄ      ガセット
１１ｅ 凸部
１２   仕口
１２ａ 仕口部材
１２ｂ，１２ｃ，１２ｄ      ガセット
２０   中間柱
３０   短辺側中間天井梁
４０   短辺側中間床梁
１００Ａ１，１００Ａ２，１００Ａ３，１００Ｂ     建物ユニット
１０２ 第２柱
１０３ 第２天井梁
１０３ａ      長辺側天井梁
１０３ｂ      短辺側天井梁
１０４ 第２床梁
１０４ａ      長辺側床梁
１０４ｂ      短辺側床梁
１０９，１１０       仕口
【図１】
0005722823.tif 000002
【図２】
0005722823.tif 000003
【図３】
0005722823.tif 000004
【図４】
0005722823.tif 000005
【図５】
0005722823.tif 000006
【図６】
0005722823.tif 000007
【図７】
0005722823.tif 000008
【図８】
0005722823.tif 000009